(57)【要約】【課題】車両上方からの衝突荷重を吸収する衝撃吸収性と、ボンネットアウタパネル４１の支持剛性とを両立して確保できる自動車１のボンネット構造を提供することを目的とする。【解決手段】ボンネットアウタパネル４１とボンネットインナパネル４２とでボンネット４を構成した自動車１のボンネット構造であって、ボンネットインナパネル４２の先端に備えたボンネットスティフナ４６を、スティフナ本体部４６１と前方脚部４６２と後方脚部４６３とで一体形成し、スティフナ本体部４６１に、車両前後方向に沿って開口した前方作業孔４６５及び後方作業孔４６６と、前方作業孔４６５及び後方作業孔４６６の間で車幅方向に延びる幅溝ビード４６７と、幅溝ビード４６７の両端近傍で車両前後方向に延びる前後溝ビード４６８とを備え、幅溝ビード４６７を車両後方に湾曲した形状に形成し、前後溝ビード４６８を車幅方向外側に湾曲した形状に形成したことを特徴とする。【選択図】図６
2016060395.tif 000002
【特許請求の範囲】
【請求項１】
自動車の意匠面となるアウタパネル、及び該アウタパネルと対向するインナパネルで形成したボンネットと、
車両前部における車体の後端近傍に対して、前記ボンネットの後端を開閉自在に軸支するヒンジと、
前記車両前部における車体の前端近傍に対して、前記ボンネットの前端を着脱自在に連結するストライカと、
前記インナパネルの上面に配設されて、前記ストライカが固定されるストライカ固定部とで構成した自動車のボンネット構造であって、
前記インナパネルにおける前端近傍の上面に、
前記アウタパネルを車両下方から支持するボンネットスティフナを備え、
該ボンネットスティフナを、
前記ストライカ固定部に対して車両上方に所定間隔を隔てて対向配置した略平板状のスティフナ本体部と、
該スティフナ本体部、及び前記インナパネルを連結する連結部とで一体形成し、
前記スティフナ本体部に、
前記ストライカ固定部と対向するとともに、車両前後方向に並置するように開口形成した前方開口孔、及び後方開口孔と、
前記前方開口孔、及び前記後方開口孔の間において、車両上方または車両下方に突設するとともに、車幅方向に延びる略溝状の幅溝部と、
該幅溝部における車幅方向の両端近傍において、車両上方または車両下方に突設するとともに、車両前後方向に延びる略溝状の前後溝部とを備え、
平面視において、
前記幅溝部を、車両前後方向に突出するように湾曲した形状に形成し、
前記前後溝部を、車幅方向に突出するように湾曲した形状に形成した
自動車のボンネット構造。
【請求項２】
前記幅溝部を、車両後方へ向けて突出するように湾曲した形状に形成した場合、
前記後方開口孔における車両前方側の前方縁端を、車両前方へ向けて突出するように湾曲した形状に形成し、
前記幅溝部を、車両前方へ向けて突出するように湾曲した形状に形成した場合、
前記前方開口孔における車両後方側の後方縁端を、車両後方へ向けて突出するように湾曲した形状に形成した
請求項１に記載の自動車のボンネット構造。
【請求項３】
前記スティフナ本体部における車幅方向の大きさを、
前記ストライカ固定部よりも幅広に形成し、
前記スティフナ本体部における前記前後溝部よりも車幅方向外側部分を、
複数の略三角形状の三角開口孔によってトラス形状に形成した
請求項１または請求項２に記載の自動車のボンネット構造。
【発明の詳細な説明】
【技術分野】
【０００１】
この発明は、例えばアウタパネルとインナパネルとで構成した自動車のボンネットにおいて、アウタパネル及びインナパネルの間に介在してアウタパネルを支持するボンネットスティフナを備えた自動車のボンネット構造に関する。
【背景技術】
【０００２】
自動車のボンネット構造は、車両前部におけるエンジンルームの上方を覆うボンネット（フード、あるいはエンジンフードともいう）と、ボンネットの後端近傍、及び車体を回転自在に軸支するヒンジと、車体側に設けたキャッチャーにボンネットの前端を着脱自在に連結するストライカなどで構成している。
【０００３】
例えば、特許文献１に記載の車両用フード構造は、車両の意匠面であるアウタパネル、及びアウタパネルと対面するインナパネルを一体的に接合したフードと、インナパネルにおける前端近傍の下面に設けたストライカと、ストライカの取付け部分を補強するストライカ補強板とで構成している。
【０００４】
さらに、特許文献１の車両用フード構造には、フードの前端近傍におけるアウタパネルとインナパネルとの間に、ストライカ補強板に対して対向配置されるとともに、インナパネルに接合されたフードスキン補強部（以下、「ボンネットスティフナ」という）を備えている。
【０００５】
このボンネットスティフナは、ボンネットの内部において、アウタパネルを車両下方から支持する補強部材としての機能と、車両上方からアウタパネルに加わる衝撃荷重を吸収する衝撃吸収部材としての機能とを兼ね備えている。
【０００６】
例えば、ボンネットを閉じる際、ボンネットスティフナは、押下されるアウタパネルを下方から支持して、アウタパネルがペコつくことを防止している。あるいは、車両の前部に衝突した衝突物がボンネットに乗り上げた際、ボンネットスティフナは、アウタパネルとともに押し潰されるように変形することで、車両上方からの衝突荷重を吸収して、衝突物に与える被害を抑制している。
【０００７】
ところで、このような自動車のボンネット構造において、車体側に設けたキャッチャーとストライカとが確実に係合するためには、ボンネットに対するストライカの取付け位置のズレを抑制する必要がある。
【０００８】
例えば、ストライカ補強板、及びストライカをインナパネルに取付けたあと、ボンネットスティフナを溶着すると、溶着の際の熱によってインナパネルに歪みが生じて、ボンネットに対するストライカの取付け位置がずれるおそれがあった。
【０００９】
これに対して、ボンネットスティフナをインナパネルに取付けたあと、ストライカ補強板、及びストライカをインナパネルに取付ける場合、ボンネットスティフナによって、治具や工具がストライカ補強板に届き難くなり、組付け性が低下するという問題があった。
【００１０】
そこで、特許文献１における中央後開口のように、治具や工具を通すサービスホールをボンネットスティフナに形成することで、治具や工具がストライカ補強板に届き易くなり、組付け性を確保することができる。
【００１１】
しかしながら、アウタパネルを車両下方から支持する補強部材であるとともに、車両上方からアウタパネルに加わる衝撃荷重を吸収する衝撃吸収部材であるボンネットスティフナに、サービスホールのような大きな開口を形成すると、その剛性が低下して、所望する効果を得られないおそれがあった。
【先行技術文献】
【特許文献】
【００１２】
【特許文献１】特開２０１０−２０８５５６号公報
【発明の概要】
【発明が解決しようとする課題】
【００１３】
本発明は、上述の問題に鑑み、車両上方からの衝突荷重を吸収する衝撃吸収性と、アウタパネルの支持剛性とを両立して確保できる自動車のボンネット構造を提供することを目的とする。
【課題を解決するための手段】
【００１４】
この発明は、自動車の意匠面となるアウタパネル、及び該アウタパネルと対向するインナパネルで形成したボンネットと、車両前部における車体の後端近傍に対して、前記ボンネットの後端を開閉自在に軸支するヒンジと、前記車両前部における車体の前端近傍に対して、前記ボンネットの前端を着脱自在に連結するストライカと、前記インナパネルの上面に配設されて、前記ストライカが固定されるストライカ固定部とで構成した自動車のボンネット構造であって、前記インナパネルにおける前端近傍の上面に、前記アウタパネルを車両下方から支持するボンネットスティフナを備え、該ボンネットスティフナを、前記ストライカ固定部に対して車両上方に所定間隔を隔てて対向配置した略平板状のスティフナ本体部と、該スティフナ本体部、及び前記インナパネルを連結する連結部とで一体形成し、前記スティフナ本体部に、前記ストライカ固定部と対向するとともに、車両前後方向に並置するように開口形成した前方開口孔、及び後方開口孔と、前記前方開口孔、及び前記後方開口孔の間において、車両上方または車両下方に突設するとともに、車幅方向に延びる略溝状の幅溝部と、該幅溝部における車幅方向の両端近傍において、車両上方または車両下方に突設するとともに、車両前後方向に延びる略溝状の前後溝部とを備え、平面視において、前記幅溝部を、車両前後方向に突出するように湾曲した形状に形成し、前記前後溝部を、車幅方向に突出するように湾曲した形状に形成したことを特徴とする。
【００１５】
ストライカ固定部は、インナパネルとは別体で構成したストライカ連結部材、あるいはインナパネルに設けたネジ孔などとすることができる。  
前記ボンネットスティフナは、発泡ウレタンなどの充填剤を介してアウタパネルを支持する、あるいは直接的に当接してアウタパネルを支持することができる。  
上記前方開口孔、及び後方開口孔は、ストライカ固定部に対するサービスホール、あるいは軽量化のための肉抜き孔などとすることができる。
【００１６】
上記幅溝部は、平面視において、車両前方に突出するように湾曲した形状、あるいは車両後方に突出するように湾曲した形状とすることができる。  
上記前後溝部は、平面視において、車幅方向外側に突出するように湾曲した形状、あるいは車幅方向内側に突出するように湾曲した形状とすることができる。
【００１７】
この発明により、車両上方からの衝突荷重を吸収する衝撃吸収性と、アウタパネルの支持剛性とを両立して確保することができる。  
具体的には、幅溝部及び前後溝部をスティフナ本体部に形成したことにより、自動車のボンネット構造は、前方開口孔、及び後方開口孔近傍におけるスティフナ本体部の剛性低下を抑制することができる。
【００１８】
さらに、例えば、車幅方向に略直線状に延びる幅溝部、及び車両前後方向に略直線状に延びる前後溝部を形成した場合に比べて、ボンネットスティフナは、幅溝部及び前後溝部を湾曲した形状に形成したことにより、スティフナ本体部の剛性を向上することができる。
【００１９】
より詳しくは、例えば、指先で押下してボンネットを閉じた場合のように、スティフナ本体部における所定範囲に車両下方への荷重が加わると、所定範囲への引張荷重がスティフナ本体部における面内方向に生じることになる。  
この際、幅溝部に作用する引張荷重の引張方向と、平面視における幅溝部の短手方向とが略一致すると、幅溝部は、溝形状の底部分を起点にして口開き変形し易い特徴がある。
【００２０】
例えば、略直線状の幅溝部の場合、平面視における短手方向が一様な方向となるため、幅溝部の短手方向と引張荷重の引張方向とが、車幅方向における広範囲で略一致し易くなる。このため、略直線状の幅溝部に引張荷重が作用すると、溝形状の底部分を起点とした口開き変形が発生するおそれがある。
【００２１】
これに対して、車両前後方向へ突出するように湾曲した幅溝部の場合、平面視における短手方向が一様な方向とならないため、引張荷重の引張方向と幅溝部の短手方向とが交差し易い、すなわち略一致し難くなる。
【００２２】
このため、湾曲した幅溝部、及び前後溝部は、引張荷重が作用しても、略直線状の幅溝部、及び前後溝部に比べて、溝形状の底部分を起点とした口開き変形を抑制することができる。これにより、ボンネットスティフナは、略直線状の幅溝部及び前後溝部に比べて、スティフナ本体部の剛性を向上することができる。
【００２３】
加えて、幅溝部の両端に近接して前後溝部を形成したことにより、ボンネットスティフナは、幅溝部における車幅方向の両端近傍を補強することができる。このため、ボンネットスティフナは、剛性変化点である幅溝部における車幅方向の両端に応力が集中することを抑制できる。
【００２４】
これにより、自動車のボンネット構造は、例えば、ストライカ固定部に対するサービスホールとなる前方開口孔、及び後方開口孔を開口形成した場合であっても、ボンネットスティフナの剛性を確保することができる。
【００２５】
このため、自動車のボンネット構造は、車両上方からの衝突荷重が加わった際、衝突荷重を十分吸収する前にボンネットスティフナが完全に押し潰されることを防止できる。  
従って、自動車のボンネット構造は、湾曲した幅溝部及び前後溝部によって、車両上方からの衝突荷重を吸収する衝撃吸収性と、アウタパネルの支持剛性とを両立して確保することができる。
【００２６】
この発明の態様として、前記幅溝部を、車両後方へ向けて突出するように湾曲した形状に形成した場合、前記後方開口孔における車両前方側の前方縁端を、車両前方へ向けて突出するように湾曲した形状に形成し、前記幅溝部を、車両前方へ向けて突出するように湾曲した形状に形成した場合、前記前方開口孔における車両後方側の後方縁端を、車両後方へ向けて突出するように湾曲した形状に形成することができる。
【００２７】
この発明により、自動車のボンネット構造は、スティフナ本体部の変形をより抑制することができる。  
具体的には、例えば、車両後方へ向けて突出するように湾曲した幅溝部に対して、後方開口孔の前方縁端を、車両後方へ向けて突出するように湾曲した形状に形成した場合、幅溝部の湾曲形状と、後方開口孔の前方縁端形状とが略平行となることで、後方開口孔と幅溝部との間における部分の剛性が低くなり易い。
【００２８】
このため、例えば、後方開口孔と幅溝部との間に車両上方からの荷重が加わった際、後方開口孔と幅溝部との間における変位量が大きくなり、幅溝部が口開き変形するおそれがある。  
さらに、後方開口孔の前方縁端を、車両後方へ向けて突出するように湾曲した形状とした場合、後方開口孔の前方縁端における車幅方向の両端の曲率が大きくなるため、応力集中箇所となるおそれがある。
【００２９】
このため、後方開口孔に近接して幅溝部を形成した場合、幅溝部における車幅方向の両端、及び後方開口孔の前方縁端における車幅方向の両端に、より応力集中し易くなり、車両上方からの荷重が繰返し加わった際、亀裂が発生するおそれがある。
【００３０】
これに対して、車両後方へ向けて突出するように湾曲した幅溝部の場合、後方開口孔の前方縁端を、車両前方へ向けて突出するように湾曲した形状に形成したことにより、ボンネットスティフナは、幅溝部の湾曲形状と後方開口孔の前方縁端形状とが略平行となる場合に比べて、後方開口孔と幅溝部との間における剛性低下を抑制することができる。
【００３１】
さらに、車両前方へ向けて突出するように湾曲した形状に後方開口孔の前方縁端を形成したことにより、後方開口孔の前方縁端における車幅方向の両端の曲率を小さくすることができる。このため、ボンネットスティフナは、後方開口孔の前方縁端における車幅方向の両端に応力が集中することを抑制でき、かつより大きな大きさで後方開口孔を開口形成することができる。
【００３２】
加えて、後方開口孔に近接して幅溝部を形成した場合であっても、車幅方向の外側ほど、後方開口孔の前方縁端と、幅溝部とが離間することになる。このため、ボンネットスティフナは、車両上方からの荷重が繰返し加わった場合であっても、幅溝部における車幅方向の両端、あるいは前方縁端における車幅方向の両端からの亀裂の発生を抑制することができる。
【００３３】
さらにまた、車両前方へ向けて突出するように湾曲した幅溝部の場合、前方開口孔の後方縁端を、車両後方へ向けて突出するように湾曲した形状に形成することにより、ボンネットスティフナは、上述の効果と同様の効果を奏することができる。
【００３４】
従って、自動車のボンネット構造は、後方開口孔における前方縁端または前方開口孔における後方縁端と、幅溝部とを、向かい合うように突出した湾曲形状に形成したことにより、スティフナ本体部の変形をより抑制することができる。
【００３５】
またこの発明の態様として、前記スティフナ本体部における車幅方向の大きさを、前記ストライカ固定部よりも幅広に形成し、前記スティフナ本体部における前記前後溝部よりも車幅方向外側部分を、複数の略三角形状の三角開口孔によってトラス形状に形成することができる。
【００３６】
この発明により、自動車のボンネット構造は、アウタパネルを支持するのに必要な車幅方向の大きさ、及び剛性を維持したまま、スティフナ本体部を軽量化することができる。  
さらに、前後溝部に隣接する三角開口孔の縁端形状と、前後溝部の湾曲形状とが略平行とならないため、ボンネットスティフナは、三角開口孔と前後溝部との間におけるスティフナ本体部の剛性低下を抑制することができる。
【００３７】
従って、自動車のボンネット構造は、スティフナ本体部における車幅方向外側部分をトラス形状に形成したことにより、車両上方からの衝突荷重を吸収する衝撃吸収性と、アウタパネルの支持剛性とをより確実に両立して確保することができる。
【発明の効果】
【００３８】
本発明により、車両上方からの衝突荷重を吸収する衝撃吸収性と、アウタパネルの支持剛性とを両立して確保できる自動車のボンネット構造を提供することができる。
【図面の簡単な説明】
【００３９】
【図１】本実施形態のボンネット構造を備えた自動車の車両前部における外観を示す外観斜視図。
【図２】車幅方向略中央で、かつ車両前後方向に沿った縦断面における自動車のボンネット構造を示す縦断面図。
【図３】ボンネットアウタパネルを取り外した状態におけるボンネットを平面視で示す平面図。
【図４】図２中における要部を拡大した要部拡大断面図。
【図５】ボンネットインナパネルに接合した状態におけるストライカ連結部材を平面視で示す平面図。
【図６】ボンネットインナパネルに接合した状態におけるボンネットスティフナを平面視で示す平面図。
【発明を実施するための形態】
【００４０】
この発明の一実施形態を以下図面と共に説明する。  
本実施形態における自動車１のボンネット構造について、図１から図６を用いて詳しく説明する。
【００４１】
なお、図１は本実施形態のボンネット構造を備えた自動車１の車両前部３における外観斜視図を示し、図２は車幅方向略中央で、かつ車両前後方向に沿った縦断面における自動車１のボンネット構造の縦断面図を示し、図３はボンネットアウタパネル４１を取り外した状態におけるボンネット４の平面図を示し、図４は図２中における要部を拡大した要部拡大断面図を示し、図５はボンネットインナパネル４２に接合した状態におけるストライカ連結部材４５の平面図を示し、図６はボンネットインナパネル４２に接合した状態におけるボンネットスティフナ４６の平面図を示している。
【００４２】
また、図中において、矢印Ｆｒ及びＲｒは車両前後方向を示しており、矢印Ｆｒは車両前方を示し、矢印Ｒｒは車両後方を示している。さらに、矢印Ｒｈ及びＬｈは車幅方向を示しており、矢印Ｒｈは車両右方向を示し、矢印Ｌｈは車両左方向を示している。加えて、図２中の上方を車両上方とし、図２中の下方を車両下方とする。
【００４３】
まず、本実施形態における自動車１は、図１に示すように、乗員が乗り込む車室部２よりも車両前方に位置する車両前部３にエンジンルームを備えた車両であって、エンジンルームの上方を開閉自在に覆うボンネット４を備えている。
【００４４】
エンジンルームは、車両前端に配置したフロントバンパー５と、フロントバンパー５の後方において車幅方向両端に配置した左右一対のフロントフェンダ６と、フロントガラス７の下端を支持するとともに、車室部２の前壁となるダッシュパネル（図示省略）とで覆われた空間によって構成している。
【００４５】
なお、ダッシュパネルの上部は、図２に示すように、エンジンルームと車室部２とを車両前後方向で隔てるダッシュアッパパネル１１と、ダッシュアッパパネル１１の下端に接合されて、車両前方に延びるカウルフロントパネル１２と、ダッシュアッパパネル１１に対して車両前方で対面するとともに、カウルフロントパネル１２の前端上面に接合したカウルグリルフロントパネル１３と、カウルフロントパネル１２に対して車両上方で対面するように設けたカウルグリルパネル１４とで構成している。
【００４６】
さらに、カウルフロントパネル１２の前端近傍における下面には、カウルフロントレインフォースメント１５が接合され、カウルフロントパネル１２とで車幅方向に延びる閉断面を形成している。  
エンジンルームの上方を覆うボンネット４は、図３に示すように、その後端近傍における車幅方向外側に接合したボンネットヒンジ８を介して、車両前部３の車体に対して開閉自在に連結している。
【００４７】
このボンネットヒンジ８は、車体側ヒンジブラケット８ａと、ボンネット側ヒンジブラケット８ｂとを回転自在に連結して構成している。この車体側ヒンジブラケット８ａは、車室部２における車幅方向の両端から車両前方に延びるエプロンレインフォースメント（図示省略）の基部に配設したカウルサイドパネル９の上面に固定されている。一方、ボンネット側ヒンジブラケット８ｂは、ボンネット４の後端（後述するヒンジレインフォースメント４３）に固定されている。
【００４８】
このように車両前部３の車体に開閉自在に連結されたボンネット４は、図２に示すように、車両の意匠面となる鋼板製のボンネットアウタパネル４１と、ボンネットアウタパネル４１と車両下方で対面するアルミ合金製のボンネットインナパネル４２とを、車両上下方向で組み付けて一体的に構成している。
【００４９】
ボンネットアウタパネル４１は、図２に示すように、その縁端を折り返して、ボンネットインナパネル４２の縁端を挟持する、所謂、ヘミング加工によってボンネットインナパネル４２を支持している。  
ボンネットインナパネル４２は、図３に示すように、平面視において、ボンネットアウタパネル４１と略同等の大きさに形成している。
【００５０】
このボンネットインナパネル４２には、図３に示すように、車幅方向の両端より内側の位置で、車両前後方向に延びる略凹溝状の側溝４１１，４１１と、車両前端より車両後方側の位置で、車幅方向に延びる略凹溝状の横溝４１２とで、車両後方が開口した略コ字状の枠溝４１３を形成している。
【００５１】
さらに、ボンネットインナパネル４２には、車両左側の側溝４１１における後部と、車両右側の側溝４１１における後部とを、車幅方向で連結する略凹溝状の深絞り溝４１４を形成している。この深絞り溝４１４は、平面視において、車幅方向略中央が車両前方へ突出するように湾曲した形状に形成している。なお、深絞り溝４１４の深さは、側溝４１１，４１１、及び横溝４１２の深さよりも浅く形成している。
【００５２】
そして、ボンネットインナパネル４２における略中央部分には、図２及び図３に示すように、ボンネットアウタパネル４１の下面に近接するように車両上方へ向けて隆起した第１隆起部４１５を、枠溝４１３と深絞り溝４１４とによって形成している。換言すると、ボンネットインナパネル４２における枠溝４１３と深絞り溝４１４とで囲われた部分は、ボンネットアウタパネル４１の下面に近接するように隆起している。
【００５３】
さらに、ボンネットインナパネル４２における深絞り溝４１４よりも車両後方部分には、ボンネットアウタパネル４１の下面に近接するように車両上方に向けて隆起するとともに、ボンネットインナパネル４２の後端と連続する第２隆起部４１６を形成している。
【００５４】
ボンネットアウタパネル４１と対面する第１隆起部４１５の上面は、図２及び図３に示すように、車両前後方向に沿った縦断面が断面凸凹形状となるように形成している。  
より詳しくは、第１隆起部４１５の上面は、前後方向に沿った縦断面が断面凹形状であって車幅方向に延びる凹部分を、車両前後方向に所定間隔を隔てて３つ形成している。これら３つの凹部分を、車両前方側から凹部分４１５ａ、凹部分４１５ｂ、凹部分４１５ｃとする。
【００５５】
そして、第１隆起部４１５の上面には、前後方向に沿った縦断面が断面凸形状であって車幅方向に延びる凸部分を、３つの凹部分４１５ａ，４１５ｂ，４１５ｃによって、車両前後方向に所定間隔を隔てて４つ形成している。
【００５６】
これら４つの凸部分を、凹部分４１５ａより車両前方に位置する凸部分４１５ｄ、凹部分４１５ａと凹部分４１５ｂとの間に位置する凸部分４１５ｅ、凹部分４１５ｂと凹部分４１５ｃとの間に位置する凸部分４１５ｆ、及び凸部分４１５ｆよりも車両後方に位置する凸部分４１５ｇとする。  
すなわち、第１隆起部４１５の上面は、凸部分と、凹部分とを車両前後方向に沿って交互に配置したことで、断面凸凹形状に形成している。
【００５７】
さらに、第１隆起部４１５における右側面と前面との境界部分には、図３に示すように、車両上下方向に長いスリット状の第１開口孔４１７を２つ開口形成している。同様に、第１隆起部４１５における左側面と前面との境界部分にも、車両上下方向に長いスリット状の第１開口孔４１７を２つ開口形成している。  
加えて、第１隆起部４１５における傾斜した前面には、車幅方向両端近傍の位置に第２開口孔４１８を２つ開口形成している。
【００５８】
このようなボンネットインナパネル４２の上面後端において、側溝４１１，４１１よりも車幅方向外側で車両上方に隆起した部分に、１対のヒンジレインフォースメント４３を接合している。  
ヒンジレインフォースメント４３は、正面視略凹状を車両前後方向に延設して形成している。さらに、ヒンジレインフォースメント４３の上面における車両前後方向略中央近傍には、車両前後方向に所定間隔を隔てて２つのウェルドナット４３ａを溶着している。
【００５９】
このヒンジレインフォースメント４３は、ボンネットインナパネル４２の上面後端に対して、２つのリベット４３ｂを用いてリベット接合している。なお、ヒンジレインフォースメント４３のウェルドナット４３ａには、ボンネットヒンジ８のボンネット側ヒンジブラケット８ｂをボンネットインナパネル４２に取付ける際に用いるボルト（図示省略）が螺合する。
【００６０】
一方、ボンネットインナパネル４２の前端近傍における車幅方向略中央の上面には、図４から図６に示すように、ストライカ４４が連結されるストライカ連結部材４５、及びボンネットアウタパネル４１を車両下方から支持する鋼板製のボンネットスティフナ４６を接合している。
【００６１】
ストライカ４４は、図４に示すように、車両上方側が開口した側面視略コ字状に折り曲げ形成した略円柱状部材を、略平板状の平板部材に接合して一体的に形成している。このストライカ４４は、エンジンルームの前端に設けたボンネットキャッチャー（図示省略）と係合することで、車体に対してボンネット４を着脱自在にしている。
【００６２】
ストライカ連結部材４５は、ストライカ４４が連結される鋼板製のリテーナ４７と、ボンネットインナパネル４２に接合されるアルミ合金製のストライカレインフォースメント４８とを、リベット接合で接合して構成している。  
リテーナ４７は、図４及び図５に示すように、車両前後方向に沿った縦断面が、車両上方側が開口した断面凹形状であって、車幅方向に延設して形成している。
【００６３】
このリテーナ４７には、車幅方向に所定間隔を隔てた位置に、ストライカ４４の取付けに用いるボルト４９の螺合を許容するウェルドナット４７ａを２つ溶着している。  
さらに、リテーナ４７におけるウェルドナット４７ａの間には、ストライカレインフォースメント４８（後述する底部分４８１）とのリベット接合に用いるリベット４７ｂが挿通する開口孔（図示省略）を形成している。
【００６４】
ストライカレインフォースメント４８は、図４及び図５に示すように、車幅方向に所定の長さを有するとともに、ボンネットインナパネル４２の横溝４１２に沿うように形成している。  
より詳しくは、ストライカレインフォースメント４８は、横溝４１２の底面と当接する底部分４８１と、底部分４８１の前端を前方斜め上方に延設するとともに、横溝４１２の前面と当接する前壁部分４８２と、底部分４８１の後端を後方斜め上方に延設するとともに、横溝４１２の後面と当接する後壁部分４８３とで一体形成している。
【００６５】
底部分４８１には、リベット４７ｂの挿通を許容する２つの開口孔（図示省略）と、ボルト４９の挿通を許容する２つの開口孔（図示省略）を開口形成している。  
後壁部分４８３には、略三角形状の肉抜き孔４８３ａを車幅方向に所定間隔を隔てて３つ開口形成している。  
このような構成のストライカ連結部材４５は、ボンネット４の内部において、ストライカ４４の取付け箇所であるとともに、ストライカ４４の取付け箇所を補強する補強部材として機能している。
【００６６】
ボンネットスティフナ４６は、図４及び図６に示すように、車幅方向に長い平面視略矩形のスティフナ本体部４６１と、スティフナ本体部４６１の前端から車両前方に延びる２つの前方脚部４６２と、スティフナ本体部４６１の後端から車両後方に延びる３つの後方脚部４６３とで一体形成している。
【００６７】
スティフナ本体部４６１は、平面視略矩形の略平板状であって、ストライカ連結部材４５に対して車両上方に所定間隔を隔てて対向するとともに、ボンネットアウタパネル４１の下面と対面する位置に配置されている。なお、スティフナ本体部４６１における車幅方向の長さは、ストライカ連結部材４５における車幅方向の長さよりも長く形成している。
【００６８】
このスティフナ本体部４６１には、外周縁よりも平面視内側において、外周縁に沿うような略環状の環状溝ビード４６４を形成している。なお、この環状溝ビード４６４は、図２に示すように、車両前後方向に沿った縦断面形状が、車両下方に向けて略半円状に突出した断面形状となるように形成している。
【００６９】
そして、平面視において、スティフナ本体部４６１における環状溝ビード４６４の内側には、車幅方向略中央において、車両前方側に２つの前方作業孔４６５と、２つの前方作業孔４６５の後方に１つの後方作業孔４６６を開口形成している。
【００７０】
さらに、スティフナ本体部４６１には、前方作業孔４６５と後方作業孔４６６との間において車幅方向に延びる幅溝ビード４６７と、幅溝ビード４６７の車幅方向両端近傍において車両前後方向に延びる２つの前後溝ビード４６８とを形成している。
【００７１】
加えて、前後溝ビード４６８よりも車幅方向外側の部分は、３つの平面視略三角形状の三角開口孔によって、平面視トラス形状に形成している。より詳しくは、車両前方側に頂点が位置する第１三角開口孔４６９を、前後溝ビード４６８の車幅方向外側に隣接して開口形成している。
【００７２】
さらに、第１三角開口孔４６９から車幅方向外側に所定間隔を隔てた位置に第１三角開口孔４６９より大きく、かつ車両後方側に頂点が位置する第２三角開口孔４７０を開口形成し、第２三角開口孔４７０から車幅方向外側に所定間隔を隔てた位置に第１三角開口孔４６９より小さく、かつ車両前方側に頂点が位置する第３三角開口孔４７１を開口形成している。
【００７３】
これら第１三角開口孔４６９、第２三角開口孔４７０、及び第３三角開口孔４７１によって、スティフナ本体部４６１における前後溝ビード４６８よりも車幅方向外側部分を、平面視トラス形状に形成している。  
前方作業孔４６５、及び後方作業孔４６６は、ストライカ連結部材４５のスポット溶接箇所ＳＰ１，ＳＰ２，ＳＰ３（図５参照）に対して、溶接機の先端が挿入可能な大きさに形成している。
【００７４】
より詳しくは、前方作業孔４６５は、図５及び図６に示すように、車両前後方向に長い平面視略矩形に開口形成している。この前方作業孔４６５は、ボンネットインナパネル４２にボンネットスティフナ４６を接合した状態において、ストライカレインフォースメント４８における底部分４８１の後部から前壁部分４８２の基部近傍が露出する車両前後方向の長さで開口形成している。
【００７５】
さらに、前方作業孔４６５は、車幅方向外側の縁端が、ストライカレインフォースメント４８における車幅方向の縁端よりも内側に位置するようにして、車幅方向に所定間隔を隔てて２つ開口形成している。
【００７６】
後方作業孔４６６は、図５及び図６に示すように、車幅方向に長い平面視長楕円形状における車両前方側の縁端を、車両前方へ突出するように湾曲させた形状で開口形成している。この後方作業孔４６６は、ストライカレインフォースメント４８における車幅方向の長さより僅かに長い車幅方向の長さで、かつ平面視においてストライカレインフォースメント４８の後壁部分４８３が露出する位置に開口形成している。
【００７７】
なお、上述した前方作業孔４６５、後方作業孔４６６、第１三角開口孔４６９、第２三角開口孔４７０、及び第３三角開口孔４７１は、バーリング加工によって開口したのち、フランジ状に折り曲げた縁端によって形成している。
【００７８】
幅溝ビード４６７は、図６に示すように、平面視において後方作業孔４６６における車幅方向の長さよりも車幅方向の長さが長く、かつ車幅方向中央が車両後方へ向けて突出するように湾曲した形状に形成している。なお、この幅溝ビード４６７は、図２に示すように、車両前後方向に沿った縦断面が、車両下方に向けて略半円状に突出した縦断面形状となるように形成している。
【００７９】
前後溝ビード４６８は、図６に示すように、平面視において前方作業孔４６５の前端近傍から、後方作業孔４６６の略中央近傍に至る車両前後方向の長さで、車幅方向外側に向けて突出するように湾曲した形状に形成している。
【００８０】
この前後溝ビード４６８は、車幅方向外側に湾曲した頂部近傍が、幅溝ビード４６７における車幅方向の端部に近接するように配設している。なお、前後溝ビード４６８は、幅溝ビード４６７と同様に、車幅方向に沿った縦断面形状が、車両下方に向けて略半円状に突出した縦断面形状となるように形成している。
【００８１】
前方脚部４６２は、スティフナ本体部４６１の前端から前方斜め下方に向けて延設するとともに、車幅方向に所定間隔を隔てて２つ形成している。この前方脚部４６２の前端は、ボンネットインナパネル４２の横溝４１２よりも車両前方の縁端に接合可能に形成している。
【００８２】
後方脚部４６３は、スティフナ本体部４６１の後端から後方斜め下方に向けて延設するとともに、車幅方向に所定間隔を隔てて３つ形成している。この後方脚部４６３の後端は、横溝４１２の後面の上部、すなわち第１隆起部４１５の前面の上部に接合可能に形成している。
【００８３】
次に、上述したボンネットインナパネル４２にボンネットスティフナ４６を接合する工程、ボンネットインナパネル４２に対してストライカ連結部材４５を接合する工程、ストライカ連結部材４５に対してストライカ４４を連結する工程、及びボンネットインナパネル４２にボンネットアウタパネル４１を連結する工程について説明する。
【００８４】
まず、アルミ合金製のボンネットインナパネル４２に対して、鋼板製のボンネットスティフナ４６を所定の位置に配置したのち、ボンネットスティフナ４６の前方脚部４６２、及び後方脚部４６３と、ボンネットインナパネル４２とをスポット溶接などで溶着する。
【００８５】
その後、ボンネットインナパネル４２とボンネットスティフナ４６との間に、側方からストライカ連結部材４５を挿入する。この際、ボンネットスティフナ４６の前方作業孔４６５、及び後方作業孔４６６を介して、ボンネットインナパネル４２に対するストライカ連結部材４５の位置を位置決めする。
【００８６】
そして、ボンネットインナパネル４２に対するストライカ連結部材４５の位置決めが完了すると、ボンネットインナパネル４２とアルミ合金製のストライカレインフォースメント４８とをアルミスポット溶接などで溶着する。
【００８７】
この際、ボンネットスティフナ４６の前方作業孔４６５を介して、ストライカレインフォースメント４８の底部分４８１における溶接箇所ＳＰ１に向けて溶接機の先端を挿入し、ストライカレインフォースメント４８の底部分４８１とボンネットインナパネル４２とを溶着する。
【００８８】
同様に、前方作業孔４６５を介して、ストライカレインフォースメント４８の前壁部分４８２における溶接箇所ＳＰ２に向けて溶接機の先端を挿入し、ストライカレインフォースメント４８の前壁部分４８２とボンネットインナパネル４２とを溶着する。
【００８９】
さらに、ボンネットスティフナ４６の後方作業孔４６６を介して、ストライカレインフォースメント４８の後壁部分４８３における溶接箇所ＳＰ３に向けて溶接機の先端を挿入し、ストライカレインフォースメント４８の後壁部分４８３とボンネットインナパネル４２とを溶着する。
【００９０】
ボンネットインナパネル４２にストライカ連結部材４５を接合したのち、ストライカ連結部材４５とストライカ４４とでボンネットインナパネル４２を挟持するようにして、ボルト４９を用いてストライカ４４をストライカ連結部材４５に取付ける。
【００９１】
その後、ボンネットインナパネル４２の上面、及びボンネットスティフナ４６の上面に、発泡ウレタン製の充填剤を塗布する。この充填剤は、ボンネットインナパネル４２及びボンネットスティフナ４６と、ボンネットアウタパネル４１との間に介在して、車両上方からの荷重を吸収する緩衝材として機能する。換言すると、ボンネットスティフナ４６は、充填剤Ｐ２（図２、及び図６参照）を介してボンネットアウタパネル４１を支持している。
【００９２】
より詳しくは、ボンネットインナパネル４２の第２隆起部４１６、及び第１隆起部４１５の凸部分４１５ｄ，４１５ｅ，４１５ｆ，４１５ｇの上面に対して、車幅方向に所定間隔を隔てて点在するように充填剤Ｐ１を塗布する（図３参照）。
【００９３】
一方、ボンネットスティフナ４６には、図６に示すように、環状溝ビード４６４よりも外側部分における車両後方側に対して、車幅方向に所定間隔を隔てて点在するように充填剤Ｐ２を４箇所に塗布し、環状溝ビード４６４よりも外側部分における車両側方側に対して、車両前後方向に所定間隔を隔てて点在するように充填剤Ｐ２をそれぞれ３箇所に塗布する。
【００９４】
加えて、環状溝ビード４６４よりも外側部分における車両前方側に対して、車幅方向に所定間隔を隔てて点在するように充填剤Ｐ２を９箇所に塗布する。この際、充填剤Ｐ２は、車両右側の第１三角開口孔４６９と、車両左側の第１三角開口孔４６９の間に対応する車幅方向の範囲に塗布している。
【００９５】
さらにまた、環状溝ビード４６４よりも内側部分において、車両左側の前方作業孔４６５と車両右側の前方作業孔４６５との間に充填剤Ｐ２を６カ所塗布し、前方作業孔４６５と前後溝ビード４６８との間に充填剤Ｐ２を２箇所塗布し、幅溝ビード４６７と後方作業孔４６６との間に充填剤Ｐ２を２箇所塗布する。
【００９６】
そして、前後溝ビード４６８よりも車幅方向外側では、前後溝ビード４６８の前端近傍に近接して充填剤Ｐ２をそれぞれ２箇所塗布するとともに、第２三角開口孔４７０と第３三角開口孔４７１との間に充填剤Ｐ２をそれぞれ１箇所塗布する。  
このように充填剤Ｐ２は、ボンネットスティフナ４６におけるストライカ４４と対向する部分において、密集するように充填している。
【００９７】
ボンネットインナパネル４２に対する充填剤Ｐ１の塗布、及びボンネットスティフナに対する充填剤Ｐ２の塗布が完了すると、車両上方からボンネットアウタパネル４１を覆い被せたのち、ボンネットアウタパネル４１の縁端にヘミング加工を施す。これにより、ボンネットアウタパネル４１の縁端で、ボンネットインナパネル４２を挟持したボンネット４を構成する。
【００９８】
以上のような構成を実現する自動車１のボンネット構造は、車両上方からの衝突荷重を吸収する衝撃吸収性と、ボンネットアウタパネル４１の支持剛性とを両立して確保することができる。  
具体的には、幅溝ビード４６７及び前後溝ビード４６８をスティフナ本体部４６１に形成したことにより、自動車１のボンネット構造は、前方作業孔４６５、及び後方作業孔４６６近傍におけるスティフナ本体部４６１の剛性低下を抑制することができる。
【００９９】
さらに、例えば、車幅方向に略直線状に延びる横溝ビード、及び車両前後方向に略直線状に延びる前後溝ビードを形成した場合に比べて、ボンネットスティフナ４６は、幅溝ビード４６７及び前後溝ビード４６８を湾曲した形状に形成したことにより、スティフナ本体部４６１の剛性を向上することができる。
【０１００】
より詳しくは、例えば、指先で押下してボンネット４を閉じた場合、ボンネットアウタパネル４１を介して充填剤Ｐ２がスティフナ本体部４６１を車両下方に押圧することになる。このため、充填剤Ｐ２の塗布位置が荷重入力箇所となり、荷重入力箇所への引張荷重が、スティフナ本体部４６１における面内方向に生じることになる。
【０１０１】
この際、横溝ビードに作用する引張荷重の引張方向と、平面視における横溝ビードの短手方向とが略一致すると、横溝ビードは、溝形所の底部分を起点にして口開き変形し易い特徴がある。
【０１０２】
例えば、略直線状の横溝ビードの場合、平面視における短手方向が一様に前後方向となるため、横溝ビードの短手方向と引張荷重の引張方向とが、車幅方向における広範囲で略一致し易くなる。このため、略直線状の横溝ビードに引張荷重が作用すると、溝形状の底部分を起点とした口開き変形が発生するおそれがある。
【０１０３】
これに対して、車両前後方向へ突出するように湾曲した幅溝ビード４６７の場合、平面視における短手方向が一様な方向とならないため、引張荷重の引張方向と幅溝ビード４６７の短手方向とが交差し易い、すなわち略一致し難くなる。
【０１０４】
このため、湾曲した幅溝ビード４６７、及び前後溝ビード４６８は、引張荷重が作用しても、略直線状の横溝ビード、及び前後溝ビードに比べて、溝形状の底部分を起点とした口開き変形を抑制することができる。これにより、ボンネットスティフナ４６は、略直線状の幅溝ビード及び前後溝ビードに比べて、スティフナ本体部４６１の剛性を向上することができる。
【０１０５】
加えて、幅溝ビード４６７の両端に近接して前後溝ビード４６８を形成したことにより、ボンネットスティフナ４６は、幅溝ビード４６７における車幅方向の両端近傍を補強することができる。このため、ボンネットスティフナ４６は、剛性変化点である幅溝ビード４６７における車幅方向の両端に応力が集中することを抑制できる。
【０１０６】
これにより、自動車１のボンネット構造は、ストライカ連結部材４５に対するサービスホールである前方作業孔４６５、及び後方作業孔４６６を開口形成した場合であっても、ボンネットスティフナ４６の剛性を確保することができる。
【０１０７】
このため、自動車１のボンネット構造は、車両上方からの衝突荷重が加わった際、衝突荷重を十分吸収する前にボンネットスティフナ４６が完全に押し潰されることを防止できる。  
従って、自動車１のボンネット構造は、湾曲した幅溝ビード４６７及び前後溝ビード４６８によって、車両上方からの衝突荷重を吸収する衝撃吸収性と、ボンネットアウタパネル４１の支持剛性とを両立して確保することができる。
【０１０８】
また、車両後方へ向けて突出するように湾曲した形状に幅溝ビード４６７を形成し、後方作業孔４６６における車両前方側の前方縁端を、車両前方へ向けて突出するように湾曲した形状に形成したことにより、自動車１のボンネット構造は、スティフナ本体部４６１の変形をより抑制することができる。
【０１０９】
具体的には、車両後方へ向けて突出するように湾曲した幅溝ビード４６７に対して、後方作業孔の前方縁端を、車両後方へ向けて突出するように湾曲した形状に形成した場合、幅溝ビード４６７の湾曲形状と、後方作業孔の前方縁端形状とが略平行となることで、後方作業孔と幅溝ビード４６７との間における剛性が低くなり易い。
【０１１０】
このため、例えば、後方作業孔と幅溝ビード４６７との間に車両上方からの荷重が加わった際、後方作業孔と幅溝ビード４６７との間における変位量が大きくなり、幅溝ビード４６７が口開き変形するおそれがある。  
さらに、後方作業孔の前方縁端を、車両後方へ向けて突出するように湾曲した形状とした場合、後方作業孔の前方縁端における車幅方向の両端の曲率が大きくなるため、応力集中箇所となるおそれがある。
【０１１１】
このため、後方作業孔に近接して幅溝ビード４６７を形成した場合、幅溝ビード４６７における車幅方向の両端、及び後方作業孔の前方縁端における車幅方向の両端に、より応力集中し易くなり、車両上方からの荷重が繰返し加わった際、亀裂が発生するおそれがある。
【０１１２】
これに対して、車両後方へ向けて突出するように湾曲した形状に幅溝ビード４６７を形成し、後方作業孔４６６の前方縁端を、車両前方へ向けて突出するように湾曲した形状に形成することにより、ボンネットスティフナ４６は、幅溝ビード４６７の湾曲形状と後方作業孔の前方縁端形状とが略平行となる場合に比べて、後方作業孔４６６と幅溝ビード４６７との間における剛性低下を抑制することができる。
【０１１３】
さらに、車両前方へ向けて突出するように湾曲した形状に後方作業孔４６６の前方縁端を形成したことにより、後方作業孔４６６の前方縁端における車幅方向の両端の曲率を小さくすることができる。このため、ボンネットスティフナ４６は、後方作業孔４６６の前方縁端における車幅方向の両端に応力が集中することを抑制でき、かつより大きな大きさで後方作業孔４６６を開口形成することができる。
【０１１４】
加えて、後方作業孔４６６に近接して幅溝ビード４６７を形成した場合であっても、車幅方向外側ほど、後方作業孔４６６の前方縁端と、幅溝ビード４６７とが離間することになる。このため、ボンネットスティフナ４６は、車両上方からの荷重が繰返し加わった場合であっても、幅溝ビード４６７における車幅方向の両端、あるいは前方縁端における車幅方向の両端からの亀裂の発生を抑制することができる。
【０１１５】
従って、自動車１のボンネット構造は、後方作業孔４６６における前方縁端と、幅溝ビード４６７とを、向かい合うように突出した湾曲形状に形成したことにより、スティフナ本体部４６１の変形をより抑制することができる。
【０１１６】
また、スティフナ本体部４６１における前後溝ビード４６８よりも車幅方向外側部分を、第１三角開口孔４６９、第２三角開口孔４７０、及び第３三角開口孔４７１によってトラス形状に形成したことにより、自動車１のボンネット構造は、ボンネットアウタパネル４１を支持するのに必要な車幅方向の大きさ、及び剛性を維持したまま、スティフナ本体部４６１を軽量化することができる。
【０１１７】
さらに、前後溝ビード４６８に隣接する第１三角開口孔４６９の縁端形状と、前後溝ビード４６８の湾曲形状とが略平行とならないため、ボンネットスティフナ４６は、第１三角開口孔４６９と前後溝ビード４６８との間におけるスティフナ本体部４６１の剛性低下を抑制することができる。
【０１１８】
従って、自動車１のボンネット構造は、スティフナ本体部４６１における車幅方向外側部分をトラス形状に形成したことにより、車両上方からの衝突荷重を吸収する衝撃吸収性と、ボンネットアウタパネル４１の支持剛性とをより確実に両立して確保することができる。
【０１１９】
なお、上述の実施形態において、ストライカ４４を固定するストライカ固定部として、ボンネットインナパネル４２とは別体で構成したストライカ連結部材４５としたが、これに限定せず、ストライカ４４が連結可能であれば、ボンネットインナパネル４２に設けたネジ孔などをストライカ固定部としてもよい。
【０１２０】
また、発泡ウレタンの充填剤Ｐ２を介してボンネットアウタパネル４１を支持するボンネットスティフナ４６としたが、これに限定せず、ボンネットアウタパネル４１に直接的に当接して支持するボンネットスティフナ４６としてもよい。
【０１２１】
また、車両後方へ向けて突出するように湾曲した形状に幅溝ビード４６７を形成し、後方作業孔４６６における車両前方側の前方縁端を、車両前方へ向けて突出するように湾曲した形状に形成したが、これに限定せず、車両前方へ向けて突出するように湾曲した形状に幅溝ビード４６７を形成し、前方作業孔４６５における車両後方側の後方縁端を、車両後方へ向けて突出するように湾曲した形状に形成してもよい。
【０１２２】
また、車幅方向に沿った縦断面形状が、車両下方に向けて略半円状に突出した縦断面形状となるように幅溝ビード４６７を形成したが、これに限定せず、車幅方向に沿った縦断面形状が、車両上方に向けて略半円状に突出した縦断面形状となるように幅溝ビード４６７としてもよい。同様に、車幅方向に沿った縦断面形状が、車両上方に向けて略半円状に突出した縦断面形状となるように前後溝ビード４６８としてもよい。
【０１２３】
また、平面視において車幅方向外側に向けて突出するように湾曲した形状の前後溝ビード４６８としたが、これに限定せず、車幅方向内側に向けて突出するように湾曲した形状の前後溝ビード４６８としてもよい。  
また、前方作業孔４６５を２つ開口形成したが、これに限定せず、後方作業孔４６６と同様に車幅方向に長い１つの開口としてもよい。
【０１２４】
この発明の構成と、上述の実施形態との対応において、
この発明のアウタパネルは、実施形態のボンネットアウタパネル４１に対応し、
以下同様に、
インナパネルは、ボンネットインナパネル４２に対応し、
ヒンジは、ボンネットヒンジ８に対応し、
ストライカ固定部は、ストライカ連結部材４５に対応し、
連結部は、前方脚部４６２、及び後方脚部４６３に対応し、
前方開口孔は、前方作業孔４６５に対応し、
後方開口孔は、後方作業孔４６６に対応し、
幅溝部は、幅溝ビード４６７に対応し、
前後溝部は、前後溝ビード４６８に対応し、
三角開口孔は、第１三角開口孔４６９、第２三角開口孔４７０、及び第３三角開口孔４７１に対応するが、
この発明は、上述の実施形態の構成のみに限定されるものではなく、多くの実施の形態を得ることができる。
【符号の説明】
【０１２５】
１…自動車
３…車両前部
４…ボンネット
８…ボンネットヒンジ
４１…ボンネットアウタパネル
４２…ボンネットインナパネル
４４…ストライカ
４５…ストライカ連結部材
４６…ボンネットスティフナ
４６１…スティフナ本体部
４６２…前方脚部
４６３…後方脚部
４６５…前方作業孔
４６６…後方作業孔
４６７…幅溝ビード
４６８…前後溝ビード
４６９…第１三角開口孔
４７０…第２三角開口孔
４７１…第３三角開口孔
【図１】
2016060395.tif 000003
【図２】
2016060395.tif 000004
【図３】
2016060395.tif 000005
【図４】
2016060395.tif 000006
【図５】
2016060395.tif 000007
【図６】
2016060395.tif 000008